(57)【要約】【課題】本発明は、安価に調光機能を付加可能な有機ＥＬパネルの接続構造を提供する。また、当該有機ＥＬパネルの接続構造を構成するに当たって、誤配線を防止可能な有機ＥＬパネルを提供する。【解決手段】発光色が異なる第１有機ＥＬパネル１０ａ，１０ｂと、当該第１有機ＥＬパネル１０ａ，１０ｂの間に挟まれる第２有機ＥＬパネル１１ａを有し、第２有機ＥＬパネル１１ａは、外部電源と電気的に接続可能であって自己の第１電極層に繋がる第１給電部と、外部電源と電気的に接続可能であって自己の第２電極層に繋がる第２給電部と、前記自己通電経路に対して絶縁され、第１有機ＥＬパネル１０ａ，１０ｂと電気的に接続可能であって、自己通電経路を迂回して第１有機ＥＬパネル１０ａ，１０ｂ同士を電気的に接続する迂回部材１８を備えている。【選択図】図４
2014103023.tif 000002
【特許請求の範囲】
【請求項１】
基材上に、少なくとも第１電極層と、第２電極層と、前記両電極層に挟まれた有機発光層とを備え、第１電極層と第２電極層の間に通電することによって有機発光層に通電する自己通電経路を有した有機ＥＬパネルであって、
所定の部位に並べて敷設される有機ＥＬパネルにおいて、
外部と電気的に接続可能であって自己の第１電極層に繋がる第１給電部と、
外部と電気的に接続可能であって自己の第２電極層に繋がる第２給電部と、
前記自己通電経路に対して絶縁され、少なくとも他の２つの有機ＥＬパネルと電気的に接続可能であって、自己通電経路を迂回して前記他の２つの有機ＥＬパネル同士を電気的に接続する迂回配線を備えたことを特徴とする有機ＥＬパネル。
【請求項２】
前記迂回配線は、前記他の２つの有機ＥＬパネルのうち、一方の有機ＥＬパネルの第１給電部と、他方の有機ＥＬパネルの第２給電部とを電気的に接続可能であることを特徴とする請求項１に記載の有機ＥＬパネル。
【請求項３】
前記迂回配線は、自己に隣接する有機ＥＬパネル間を電気的に接続可能であることを特徴とする請求項１又は２に記載の有機ＥＬパネル。
【請求項４】
基材を平面視したとき、実際発光する発光領域と、当該発光領域を囲む額縁領域を有し、
前記迂回配線は、発光領域を縦断又が横断していることを特徴とする請求項１乃至３のいずれかに記載の有機ＥＬパネル。
【請求項５】
基材を平面視したとき、実際発光する発光領域と、当該発光領域を囲む額縁領域を有し、
前記迂回配線は、発光領域を迂回して配されていることを特徴とする請求項１乃至３のいずれかに記載の有機ＥＬパネル。
【請求項６】
両面が発光することを特徴とする請求項５に記載の有機ＥＬパネル。
【請求項７】
点灯時に発光色が異なる２種類以上の有機ＥＬパネルを接続する有機ＥＬパネルの接続構造であって、
当該２種類以上の有機ＥＬパネルの内、少なくとも１つは、請求項１乃至６のいずれかに記載の有機ＥＬパネルであり、
前記迂回配線は、異なる色の他の有機ＥＬパネル間を接続することを特徴とする有機ＥＬパネルの接続構造。
【請求項８】
前記迂回配線は、同色の発光色を呈する有機ＥＬパネル間を電気的に直列接続することを特徴とする請求項７に記載の有機ＥＬパネルの接続構造。
【請求項９】
点灯時に発光色が異なる有機ＥＬパネルの種類は、２種類以上４種類以下であることを特徴とする請求項７又は８に記載の有機ＥＬパネルの接続構造。
【請求項１０】
前記異なる２種類以上の有機ＥＬパネルのうち１種類は、５５０ｎｍ未満の波長にのみ発光ピークを有する青色系発光パネルであり、
少なくとも他の１種類は、５５０ｎｍ以上の波長にのみ発光ピークを有する赤色系発光パネルであることを特徴とする請求項７乃至９のいずれかに記載の有機ＥＬパネルの接続構造。
【請求項１１】
点灯時に発光色が異なる２種類以上の有機ＥＬパネルを接続する有機ＥＬパネルの接続構造であって、
当該２種類以上の有機ＥＬパネルの内、少なくとも１つの有機ＥＬパネルは、基材上に、少なくとも第１電極層と、第２電極層と、前記両電極層に挟まれた有機発光層とを備え、第１電極層と第２電極層の間に通電することによって有機発光層に通電する自己通電経路を有しており、かつ、
外部と電気的に接続可能であって自己の第１電極層に繋がる第１給電部と、
外部と電気的に接続可能であって自己の第２電極層に繋がる第２給電部とを有するものであり、
前記１つの有機ＥＬパネルの自己通電経路に対して絶縁され、少なくとも１つの有機ＥＬパネルとは異なる他の２つの有機ＥＬパネルと電気的に接続可能な迂回配線部材を備え、
前記迂回配線部材は、前記１つの有機ＥＬパネルとは異なる色の他の有機ＥＬパネル間を接続することを特徴とする有機ＥＬパネルの接続構造。
【発明の詳細な説明】
【技術分野】
【０００１】
本発明は、有機ＥＬ（Electro Luminescence）パネルに関するものである。また、当該有機ＥＬパネルの接続構造に関するものである。
【背景技術】
【０００２】
近年、白熱灯や蛍光灯に代わる照明装置として有機ＥＬパネルが注目され、多くの研究がなされている。
【０００３】
ここで、有機ＥＬパネルは、有機ＥＬ装置に封止構造やケーシングを施したものである。また、有機ＥＬ装置は、ガラス基板等の基材に、有機ＥＬ素子を積層し、この有機ＥＬ素子に給電するための給電構造を形成したものである。
また、有機ＥＬ素子は、一方又は双方が透光性を有する２つの電極を対向させ、この電極の間に有機化合物からなる発光層を積層したものである。有機ＥＬ装置は、電気的に励起された電子と正孔との再結合のエネルギーによって発光する。
詳説すると、有機ＥＬ素子は、有機ＥＬ素子の電極間に複数の層が積層した構造を有しており、一方の電極側から順に正孔注入層、正孔輸送層、発光層、電子輸送層、電子注入層からなる積層構造をとっている。そして、正孔は、一方の電極から正孔注入層、正孔輸送層を経由して発光層に至り、電子は、他方の電極から電子注入層、電子輸送層を経由して発光層に至り、発光層内で正孔と電子が再結合する。すなわち、有機ＥＬ素子は、発光層の材料を適宜選択することにより、種々の波長の光を発光することができ、所望の発光色を選択することができる。
【０００４】
照明装置に使用される有機ＥＬパネルは、白色の光源として使用される場合が多い。このとき、１つの発光層のみで、白色光源を取り出すのは困難であり、従来から、光の三原色である赤（Ｒｅｄ）、青（Ｂｌｕｅ）、緑（Ｇｒｅｅｎ）の３色の発光層を組み合わせて、白色光源として使用している（例えば、特許文献１）。
つまり、照明に使用される有機ＥＬパネルは、複数の発光層を積層した構造を有しており、それぞれの発光層で電子と正孔を再結合させることで、光を加色していき、白色の光を取り出す。
【先行技術文献】
【特許文献】
【０００５】
【特許文献１】特開２０１１−２５３７２２号公報
【発明の概要】
【発明が解決しようとする課題】
【０００６】
ところで、大型照明に有機ＥＬパネルを用いる場合、１枚の有機ＥＬパネルではその面内に電圧の分布が生じやすく、発光むらが生じやすい。そのため、複数の有機ＥＬパネルを電気的に接続して、１つの発光平面を形成する場合がある。
従来、青色系の発光層は、他の色の発光層に比べて劣化しやすく、寿命が短いことが知られており、実質的な有機ＥＬパネルの寿命は、青色系の発光色の寿命となることが多い。そのため、大型照明に有機ＥＬパネルを用いる場合、他の発光色を呈する発光層の寿命が残っているにもかかわらず、照明として機能しないため、その都度、発光不能となった有機ＥＬパネルを交換する必要があった。
また、近年の照明装置は、単純な点灯と消灯の切り替えだけではなく、発光色の明るさを調整する調光機能が求められることが多い。ところが、特許文献１の有機電界発光素子（有機ＥＬパネル）を大型照明として用い、調光機能を付加させると、発光むらが生じやすい。すなわち、それぞれの電流値を高い精度で調整が必要であり、コストが高くなるという問題がある。
【０００７】
そこで、本発明者は、従来のようにそれぞれの有機ＥＬパネル単体から白色光を取り出すのではなく、発光色の異なる複数種類の有機ＥＬパネルを面状に広がりをもって敷設し、１つの有機ＥＬパネルから発せられる光と、当該有機ＥＬパネルに隣接するそれぞれの有機ＥＬパネルから発せられる光と、の重なりを利用して、合成色である白色の発光色を取り出すことを考えた。また、同色の発光色を有する有機ＥＬパネル間をそれぞれ電気的に直列接続することによって、例えば、複数の有機ＥＬパネルの内、寿命が短いとされる青色の発光色を有した有機ＥＬパネルのみを交換することが可能となり、それぞれの有機ＥＬパネルの寿命を最大限に生かせると考えた。また、この構造を採用することによって、直列接続された有機ＥＬパネル間の電流値等を調整することによって調光機能を付加できると考えた。
ところが、この構造の場合、有機ＥＬパネルの種類の分だけ独立した配線構造が必要となり、配線構造が煩雑となる。そのため、誤配線が生じる可能性が高くなるという新たな問題が生じていた。
【０００８】
そこで、本発明は、安価に調光機能を付加可能な有機ＥＬパネルの接続構造を提供するものである。また、当該有機ＥＬパネルの接続構造を構成するに当たって、誤配線を防止可能な有機ＥＬパネルを提供することを課題とするものである。
【課題を解決するための手段】
【０００９】
上記課題を解決するための請求項１に記載の発明は、基材上に、少なくとも第１電極層と、第２電極層と、前記両電極層に挟まれた有機発光層とを備え、第１電極層と第２電極層の間に通電することによって有機発光層に通電する自己通電経路を有した有機ＥＬパネルであって、所定の部位に並べて敷設される有機ＥＬパネルにおいて、外部と電気的に接続可能であって自己の第１電極層に繋がる第１給電部と、外部と電気的に接続可能であって自己の第２電極層に繋がる第２給電部と、前記自己通電経路に対して絶縁され、少なくとも他の２つの有機ＥＬパネルと電気的に接続可能であって、自己通電経路を迂回して前記他の２つの有機ＥＬパネル同士を電気的に接続する迂回配線を備えたことを特徴とする有機ＥＬパネルである。
【００１０】
本発明の構成によれば、第１電極層と第２電極層の間に通電することによって有機発光層に通電する自己通電経路を有している。すなわち、第１電極層と第２電極層の間には、自己が発光するための自己通電経路が設けられており、当該自己通電経路に通電されることによって、有機発光層が発光する。
また、本発明の構成によれば、所定の部位に並べて敷設されて使用されるものである。すなわち、他の複数の有機ＥＬパネルとともに面状に広がりをもって並べられて使用される。
そして、本発明の構成によれば、自己発光のための自己通電経路に対して絶縁された迂回配線を有しており、自己通電経路を迂回して自己の有機ＥＬパネルとは別の２つの有機ＥＬパネル同士を電気的に接続可能となっている。言い換えると、自己発光に寄与しない迂回配線があり、当該迂回配線は、別の２つの有機ＥＬパネルを接続させるための迂回経路として機能している。
そのため、使用者が誤って、迂回配線に外部電源の電極端子を接続したとしても、自己通電経路内に通電されず、自己の発光層は発光しない。それ故に、使用者は誤配線であると気づきやすい。
【００１１】
請求項２に記載の発明は、前記迂回配線は、前記他の２つの有機ＥＬパネルのうち、一方の有機ＥＬパネルの第１給電部と、他方の有機ＥＬパネルの第２給電部とを電気的に接続可能であることを特徴とする請求項１に記載の有機ＥＬパネルである。
【００１２】
本発明の構成によれば、前記迂回配線は、前記他の２つの有機ＥＬパネルのうち、一方の有機ＥＬパネルの第１給電部と、他方の有機ＥＬパネルの第２給電部とを電気的に接続可能である。すなわち、迂回配線は、自己の有機ＥＬパネルとは別の２つの有機ＥＬパネル間を接続しており、当該２つの有機ＥＬパネルが発光する場合には、電気的に直列接続されることになる。そのため、２つの有機ＥＬパネルに流れる電流が等しくなり、２つの有機ＥＬパネル間で発光むらを生じさせずに発光することができる。
【００１３】
請求項３に記載の発明は、前記迂回配線は、自己に隣接する有機ＥＬパネル間を電気的に接続可能であることを特徴とする請求項１又は２に記載の有機ＥＬパネルである。
【００１４】
本発明の構成によれば、前記迂回配線は、自己に隣接する有機ＥＬパネル間を電気的に接続可能であるため、所定の部位に設置する際に、迂回配線が他の有機ＥＬパネルの接続の邪魔になりにくい。
【００１５】
請求項４に記載の発明は、基材を平面視したとき、実際発光する発光領域と、当該発光領域を囲む額縁領域を有し、前記迂回配線は、発光領域を縦断又が横断していることを特徴とする請求項１乃至３のいずれかに記載の有機ＥＬパネルである。
【００１６】
本発明の構成によれば、迂回配線は、発光領域を縦断又が横断しているため、有機ＥＬパネル間を最短距離で接続することが可能である。
【００１７】
請求項５に記載の発明は、基材を平面視したとき、実際発光する発光領域と、当該発光領域を囲む額縁領域を有し、前記迂回配線は、発光領域を迂回して配されていることを特徴とする請求項１乃至３のいずれかに記載の有機ＥＬパネルである。
【００１８】
本発明の構成によれば、前記迂回配線は、発光領域を迂回して配されているため、光取り出し面側にも、迂回配線を設けることができる。
【００１９】
請求項６に記載の発明は、両面が発光することを特徴とする請求項５に記載の有機ＥＬパネルである。
【００２０】
本発明の構成によれば、両面が発光するため、発光面積が大きい。
【００２１】
請求項７に記載の発明は、点灯時に発光色が異なる２種類以上の有機ＥＬパネルを接続する有機ＥＬパネルの接続構造であって、当該２種類以上の有機ＥＬパネルの内、少なくとも１つは、請求項１乃至６のいずれかに記載の有機ＥＬパネルであり、前記迂回配線は、異なる色の他の有機ＥＬパネル間を接続することを特徴とする有機ＥＬパネルの接続構造である。
【００２２】
本発明の構成によれば、点灯時に発光色が異なる２種類以上の有機ＥＬパネルを接続しており、迂回配線は、異なる色の他の有機ＥＬパネル間を接続する。すなわち、自己の発光色と他の有機ＥＬパネルの発光色を組み合わせて、基本の混成発光色を調整することが可能である。
また、電流量等を調整することによって、２種類以上の有機ＥＬパネルの光によって成される白色光の色度を調整することが可能であり、調光機能を付加させることが可能である。
【００２３】
請求項８に記載の発明は、前記迂回配線は、同色の発光色を呈する有機ＥＬパネル間を電気的に直列接続することを特徴とする請求項７に記載の有機ＥＬパネルの接続構造である。
【００２４】
本発明の構成によれば、前記迂回配線は、同色の発光色を呈する有機ＥＬパネル間を電気的に直列接続するため、同色の発光色を呈する有機ＥＬパネルごとに電流を流すことが可能であり、電流量等を調整することによって、同色の発光色を呈する有機ＥＬパネルごとに均等に発光強度を調整することができる。
【００２５】
請求項９に記載の発明は、点灯時に発光色が異なる有機ＥＬパネルの種類は、２種類以上４種類以下であることを特徴とする請求項７又は８に記載の有機ＥＬパネルの接続構造である。
【００２６】
本発明の構成によれば、点灯時に発光色が異なる有機ＥＬパネルの種類は、２種類以上４種類以下である。有機ＥＬパネルの種類が４種類より多くなると、同色の有機ＥＬパネル間の距離が離れすぎて、使用者に白色に発光しているように見えなくなるおそれがある。
【００２７】
請求項７乃至９のいずれかに記載の有機ＥＬパネルの接続構造において、前記異なる２種類以上の有機ＥＬパネルのうち１種類は、５５０ｎｍ未満の波長にのみ発光ピークを有する青色系発光パネルであり、少なくとも他の１種類は、５５０ｎｍ以上の波長にのみ発光ピークを有する赤色系発光パネルであることが好ましい（請求項１０）。
【００２８】
請求項１１に記載の発明は、点灯時に発光色が異なる２種類以上の有機ＥＬパネルを接続する有機ＥＬパネルの接続構造であって、当該２種類以上の有機ＥＬパネルの内、少なくとも１つの有機ＥＬパネルは、基材上に、少なくとも第１電極層と、第２電極層と、前記両電極層に挟まれた有機発光層とを備え、第１電極層と第２電極層の間に通電することによって有機発光層に通電する自己通電経路を有しており、かつ、外部と電気的に接続可能であって自己の第１電極層に繋がる第１給電部と、外部と電気的に接続可能であって自己の第２電極層に繋がる第２給電部とを有するものであり、前記１つの有機ＥＬパネルの自己通電経路に対して絶縁され、少なくとも１つの有機ＥＬパネルとは異なる他の２つの有機ＥＬパネルと電気的に接続可能な迂回配線部材を備え、前記迂回配線部材は、前記１つの有機ＥＬパネルとは異なる色の他の有機ＥＬパネル間を接続することを特徴とする有機ＥＬパネルの接続構造である。
【００２９】
本発明の構成によれば、有機ＥＬパネルと迂回配線部材は別部材であるため、従来の有機ＥＬパネルを組み合わせて形成することができる。
また、本発明の構成によれば、点灯時に発光色が異なる２種類以上の有機ＥＬパネルを接続しており、迂回配線は、異なる色の他の有機ＥＬパネル間を接続する。すなわち、自己の発光色と他の有機ＥＬパネルの発光色を組み合わせて、基本の混成発光色を調整することが可能である。
また、電流量等を調整することによって、２種類以上の有機ＥＬパネルの発光によって成される白色光の色度を調整することが可能であり、調光機能を付加させることが可能である。
【発明の効果】
【００３０】
本発明の有機ＥＬパネルによれば、誤配線を容易に発見可能である。
本発明の有機ＥＬパネルの接続構造によれば、誤配線を容易に発見可能であり、さらに、従来の有機ＥＬパネルに比べて、安価に調光機能を備えることができる。
【図面の簡単な説明】
【００３１】
【図１】本発明の第１実施形態における有機ＥＬパネルの接続構造の斜視図である。
【図２】図１の有機ＥＬパネルの斜視図である。
【図３】図２の有機ＥＬパネルの分解斜視図である。
【図４】図１の有機ＥＬパネルの接続構造の要部拡大図である。
【図５】図２の有機ＥＬ装置の説明図である。
【図６】図１の有機ＥＬパネルの接続構造の説明図であり、（ａ）は、有機ＥＬパネルの接続構造の実際の位置関係を考慮した電気回路図であり、（ｂ）は、（ａ）を簡略化した電気回路図である。
【図７】図１の有機ＥＬパネルの接続構造をさらに拡張した場合の説明図である。
【図８】他の実施形態の有機ＥＬパネルの接続構造の説明図であり、（ａ）は、有機ＥＬパネルの接続構造の実際の位置関係を考慮した電気回路図であり、（ｂ）は、（ａ）を簡略化した電気回路図である。
【図９】さらに他の実施形態の有機ＥＬパネルの接続構造の説明図であり、（ａ）は、有機ＥＬパネルの接続構造の実際の位置関係を考慮した電気回路図であり、（ｂ）は、（ａ）を簡略化した電気回路図である。
【発明を実施するための形態】
【００３２】
以下、本発明の実施形態について詳細に説明する。
なお、以下の説明において、特に断りがない限り、有機ＥＬパネルの接続構造１の上下の位置関係は、図１の姿勢を基準に説明する。すなわち光取り出し側が下である。また、図面は、理解を容易にするために全体的に実際の大きさ（長さ、幅、厚さ）に比べて極端に記載している。
【００３３】
本実施形態の有機ＥＬパネルの接続構造１は、有機ＥＬパネル２が面状に広がりをもって敷設されて形成されており、各有機ＥＬパネル２を接続配線３によって接続している。
具体的には、有機ＥＬパネルの接続構造１は、図１のように有機ＥＬパネル２が縦横碁盤状に並設されて形成されており、縦方向（行方向Ｃ）又は横方向（列方向Ｒ）に隣接する有機ＥＬパネル２間を接続配線３で接続したものである。
【００３４】
有機ＥＬパネルの接続構造１は、接続配線３によって、各有機ＥＬパネル２間が接続されており、全ての有機ＥＬパネル２が全体的に発光可能となっている。
【００３５】
有機ＥＬパネルの接続構造１に用いられる有機ＥＬパネル２は、発光色が異なる複数種類の有機ＥＬパネルを使用している。そして、有機ＥＬパネルの接続構造１は、それぞれの有機ＥＬパネル２から発せられる光を重ね合わせることによって、使用者に有機ＥＬパネルの接続構造１が白色に発光しているように見せることが可能となっている。
また、有機ＥＬパネルの接続構造１は、同色に発光する有機ＥＬパネル２を電気的に直列接続することによって、それぞれの色に対応する有機ＥＬパネル２をそれぞれ独立して発光させることが可能となっており、電流量を制限することによって、調光・調色機能も持ち合わせている。
なお、使用する有機ＥＬパネル２の種類は、発光させたい色や調光の精度、明るさ、有機ＥＬパネルの大きさによって適宜選択されるものであり、特に限定されないが、２種類以上４種類以下を使用していることが好ましい。有機ＥＬパネル２の種類が４種類より多くなると、同色の有機ＥＬパネル２間の距離が離れすぎて、使用者に白色に発光しているように見えなくなるおそれがある。
【００３６】
以下、有機ＥＬパネルの接続構造１の各構成部材の構成について説明する。
有機ＥＬパネル２は、図２のように有機ＥＬ装置５と、給電部材６によって形成されている。
有機ＥＬ装置５は、図５のように、基板４２（基材）上に第１電極層４３と、機能層４５と、第２電極層４６がこの順に積層した有機ＥＬ素子４１（積層体）を備えたものである。第１電極層４３と第２電極層４６は、機能層４５を挟んで対向しており、第１電極層４３と第２電極層４６の間に通電することによって、機能層４５が通電され電子と正孔との再結合が起こり発光する。すなわち、第１電極層４３と機能層４５と第２電極層４６間で自己通電経路を形成している。
そして、本実施形態の有機ＥＬ装置５は、機能層４５の構成部材をそれぞれ変更することによって所望の発光色が呈するように設計している。詳細な層構造については、後述する。
【００３７】
また、有機ＥＬ装置５は、図５のように基板４２を平面視すると、点灯時に実際に発光する発光領域５０と、当該発光領域５０の周りを囲むように額縁領域５１を有している。
発光領域５０は、四角形状の領域であり、有機ＥＬ装置５の基板４２側に有機ＥＬパネル２の発光面（基板４２側の面であって、使用者が実際に発光を視認する面）を含んでいる。本実施形態の発光領域５０は、基板４２と相似形状であって、正方形状の領域となっている。なお、ここでいう「相似形状」とは、合同形状も含む。
額縁領域５１は、図５のように発光領域５０を環状に取り囲む領域であり、点灯時に発光しない非発光の領域である。この額縁領域５１は、外部との電気的な接点として機能する給電部５２を複数備えている。
【００３８】
給電部５２は、図５のように、有機ＥＬ素子４１内の第１電極層４３に電気的に接続される第１給電部５５と、有機ＥＬ素子４１内の第２電極層４６に電気的に接続される第２給電部５６からなり、第１給電部５５と第２給電部５６は発光領域５０を挟んで、互いに対向する位置にある。
【００３９】
給電部材６に目を移すと、給電部材６は、図３のように複数の導電部材１６，１７及び迂回部材１８が絶縁部材１５，２０によって挟まれた構造をしている。
すなわち、給電部材６は、第１絶縁部材１５と、第１導電部材１６と、第２導電部材１７と、迂回部材１８と、第２絶縁部材２０と、から形成されている。
【００４０】
第１絶縁部材１５は、絶縁性を有した板状又はシート状の部材であり、平面視すると、基板４２に相似する形状（四角形）をしている。すなわち、本実施形態の第１絶縁部材１５は、正方形状の部材である。第１絶縁部材１５は、有機ＥＬ装置５の背面（発光面と反対側の面）の一部又は全部を覆うことが可能となっている。具体的には、第１絶縁部材１５は、少なくとも、発光領域５０を覆うことが可能となっている。
第１絶縁部材１５は、図３のように部材厚方向（上下方向）に貫通しており第１給電端子２５を挿通可能な第１挿通孔２１と、部材厚方向に貫通しており第２給電端子２９を挿通可能な第２挿通孔２２を有している。
第１挿通孔２１は、開口形状が長方形状の貫通孔であって、有機ＥＬパネル２を組み立てた際に第１給電部５５に対応する位置に設けられている。具体的には、第１挿通孔２１は、第１絶縁部材１５の１辺の近傍に位置しており、第１挿通孔２１の長辺は、第１絶縁部材１５の当該辺方向に延びている。
第２挿通孔２２は、開口形状が長方形状の貫通孔であって、有機ＥＬパネル２を組み立てた際に第２給電部５６に対応する位置に設けられている。具体的には、第２挿通孔２２は、第１絶縁部材１５の１辺の近傍に位置しており、第２挿通孔２２の長辺は、第１絶縁部材１５の当該辺方向に延びている。また、第１絶縁部材１５を平面視すると、第２挿通孔２２と第１挿通孔２１は互いに対向する辺近傍に位置しており、開口の長辺間が平行となっている。
【００４１】
第１導電部材１６は、導電性を有した部材であって、有機ＥＬ装置５の第１給電部５５と、接続配線３間の導電経路を形成する部材である。第１導電部材１６は、図３のように第１給電端子２５と、第１導電配線２６から形成されている。
第１給電端子２５は、接続配線３と接続可能な部位であり、接続することで接続配線３と電気的に接続可能となっている。具体的には、第１給電端子２５は、第１導電配線２６から突出しており、接続配線３の一部と係合可能となっている。
第１導電配線２６は、板状又は箔状の部位であり、有機ＥＬ装置５の第１給電部５５と、第１給電端子２５を電気的に接続可能な部位である。
【００４２】
第２導電部材１７は、導電性を有した部材であって、有機ＥＬ装置５の第２給電部５６と、接続配線３間の導電経路を形成する部材である。第２導電部材１７は、図３のように第２給電端子２９と、第２導電配線３０から形成されている。
第２給電端子２９は、接続配線３と接続可能な部位であり、接続することで接続配線３と電気的に接続可能となっている。具体的には、第２給電端子２９は、第２導電配線３０から突出しており、接続配線３の一部と係合可能となっている。
第２導電配線３０は、板状又は箔状の部位であり、有機ＥＬ装置５の第２給電部５６と、第２給電端子２９を電気的に接続可能な部位である。
【００４３】
迂回部材１８は、導電性を有した部材であって、図３のように第１迂回端子３３と、第２迂回端子３４と、迂回配線３５から形成されている。
第１迂回端子３３は、接続配線３と接続可能な部位であり、接続することで接続配線３と電気的に接続可能となっている。具体的には、第１迂回端子３３は、迂回配線３５から突出しており、接続配線３の一部と係合可能となっている。
第２迂回端子３４は、接続配線３と接続可能な部位であり、接続することで接続配線３と電気的に接続可能となっている。具体的には、第２迂回端子３４は、迂回配線３５から突出しており、接続配線３の一部と係合可能となっている。
迂回配線３５は、板状又は箔状の部位であり、第１迂回端子３３と第２迂回端子３４を電気的に接続する部位である。
【００４４】
第２絶縁部材２０は、絶縁性を有した板状又はシート状の部材であり、複数の貫通孔を有している。
具体的には、第２絶縁部材２０は、図３のように第１給電端子２５を挿通可能な第１取出孔３７と、第２給電端子２９を挿通可能な第２取出孔３８と、第１迂回端子３３を挿通可能な第３取出孔３９と、第２迂回端子３４を挿通可能な第４取出孔４０を有している。
【００４５】
ここで、給電部材６の位置関係について注目すると、第１絶縁部材１５の第１挿通孔２１内に第１導電部材１６の第１導電配線２６が挿嵌されており、第２挿通孔２２内に第２導電部材１７の第２導電配線３０が挿嵌されている。
平面視すると、第１導電部材１６と第２導電部材１７と迂回部材１８は、略「Ｈ」状に並んでいる。
すなわち、第１導電部材１６と第２導電部材１７は所定の間隔を空けて互いに平行となっており、第１導電部材１６と第２導電部材１７の内側に迂回部材１８が配されている。そして、迂回部材１８は、第１導電部材１６（第２導電部材１７）に対して交差する方向に向いている。本実施形態では、迂回部材１８は、第１導電部材１６（第２導電部材１７）に対して直交する方向に向いている。
第１導電部材１６と迂回部材１８は、互いに接触しておらず、隙間が形成されている。第２導電部材１７と迂回部材１８は、互いに接触しておらず、隙間が形成されている。すなわち、給電部材６内では、第１導電部材１６と第２導電部材１７と迂回部材１８は、互いに電気的に切り離されており、絶縁されている。
【００４６】
また、第１導電部材１６の第１給電端子２５は、第１取出孔３７内に挿通されており、第１給電端子２５の一部が第２絶縁部材２０から張り出している。第２導電部材１７の第２給電端子２９は、第２取出孔３８内に挿通されており、第２導電部材１７の一部が第２絶縁部材２０から張り出している。迂回部材１８の第１迂回端子３３は、第３取出孔３９内に挿通されており、第１迂回端子３３の一部が第２絶縁部材２０から張り出している。迂回部材１８の第２迂回端子３４は、第４取出孔４０内に挿通されており、第２迂回端子３４の一部が第２絶縁部材２０から張り出している。
このように、これらの端子２５，２９，３３，３４は、第２絶縁部材２０から張り出しており、当該張り出し部位にそれぞれ接続配線３を接続することによって、他の有機ＥＬパネル２と接続可能となっている。
【００４７】
続いて、有機ＥＬパネル２を構成する各部材の位置関係について説明する。
有機ＥＬパネル２は、図２のように有機ＥＬ装置５上に給電部材６が載置されている。具体的には、有機ＥＬ装置５の第１給電部５５に給電部材６の第１導電配線２６が接触しており、第２給電部５６に第２導電配線３０が接触している。すなわち、有機ＥＬパネル２は、有機ＥＬ装置５の第１給電部５５から給電部材６の第１給電端子２５までの導電経路が形成されており、同様に、第２給電部５６から第２給電端子２９までの導電経路が形成されている。そのため、第１給電端子２５及び第２給電端子２９間に外部電源の正極又は負極を電気的に接続することによって有機ＥＬ装置５内の有機ＥＬ素子４１に給電することが可能となっている。
【００４８】
また、迂回部材１８（迂回配線３５）は、基板４２の投影面上に縦断又は横断して配されている。具体的には、有機ＥＬ装置５の発光領域５０を横切るようにして設けられている。
ここでいう「横切る」とは、横方向だけではなく、縦方向、斜め方向も含む。
また、迂回部材１８は、上記したように第１導電部材１６及び第２導電部材１７と電気的に絶縁されており、さらに第１絶縁部材１５によって、有機ＥＬ装置５と電気的に絶縁されている。すなわち、迂回部材１８は、自己の有機ＥＬパネル２の有機ＥＬ装置５の発光には寄与しない。
【００４９】
続いて、有機ＥＬパネルの接続構造１における各有機ＥＬパネル２間の関係について説明する。
なお、本実施形態では、上記した発光色が異なる有機ＥＬパネル２を４種類使用しており、それぞれの有機ＥＬパネル２を明確に区別するため、以下の説明においては、それぞれ同色の発光色ごとに区別して第１有機ＥＬパネル１０（１０ａ〜１０ｄ）、第２有機ＥＬパネル１１（１１ａ〜１１ｄ）、第３有機ＥＬパネル１２（１２ａ〜１２ｄ）、第４有機ＥＬパネル１３（１３ａ〜１３ｄ）という。
また、これらの有機ＥＬパネル２の構造は、有機ＥＬ装置５の発光色以外は同様である。
【００５０】
有機ＥＬパネルの接続構造１は、上記したように接続配線３によって、各有機ＥＬパネル間が接続されている。具体的には、有機ＥＬパネルの接続構造１は、図１のように４つの有機ＥＬパネル１０，１１，１２，１３によって、一つのユニット（以下、有機ＥＬパネル群６０）を形成しており、有機ＥＬパネル群６０が面上に広がりをもって分布されている。
【００５１】
そして、本実施形態の有機ＥＬパネルの接続構造１では、図１のように４行４列に有機ＥＬパネル２が配列されている。
横方向（列方向Ｒ）においては、第１行には、第１有機ＥＬパネル１０ａ，第２有機ＥＬパネル１１ａ，第１有機ＥＬパネル１０ｂ，第２有機ＥＬパネル１１ｂの順に交互に配されている。
第２行には、第３有機ＥＬパネル１２ａ，第４有機ＥＬパネル１３ａ，第３有機ＥＬパネル１２ｂ，第４有機ＥＬパネル１３ｂの順に交互に配されている。
第３行には、第２有機ＥＬパネル１１ｃ，第１有機ＥＬパネル１０ｃ，第２有機ＥＬパネル１１ｄ，第１有機ＥＬパネル１０ｄの順に交互に配されている。
第４行には、第４有機ＥＬパネル１３ｃ，第３有機ＥＬパネル１２ｃ，第４有機ＥＬパネル１３ｄ，第３有機ＥＬパネル１２ｄの順に交互に配されている。
このように、有機ＥＬパネルの接続構造１は、いずれの行においても、２種類の有機ＥＬパネル１０，１１又は有機ＥＬパネル１２，１３が交互に配列されており、同一色の有機ＥＬパネルは、当該同一色の有機ＥＬパネル間に少なくとも１種類の異なる有機ＥＬパネルを挟んで、並設されている。例えば、同一色の有機ＥＬパネル１０ａ，１０ｂは、有機ＥＬパネル１０ａ，１０ｂ間に少なくとも１種類の異なる有機ＥＬパネル１１ａを挟んで、並設されている。
【００５２】
縦方向（行方向Ｃ）においては、第１列には、第１有機ＥＬパネル１０ａ，第３有機ＥＬパネル１２ａ，第２有機ＥＬパネル１１ｃ，第４有機ＥＬパネル１３ｃの順に交互に配されている。
第２列には、第２有機ＥＬパネル１１ａ，第４有機ＥＬパネル１３ａ，第１有機ＥＬパネル１０ｃ，第３有機ＥＬパネル１２ｃの順に交互に配されている。
第３列には、第１有機ＥＬパネル１０ｂ，第３有機ＥＬパネル１２ｂ，第２有機ＥＬパネル１１ｄ，第４有機ＥＬパネル１３ｄの順に交互に配されている。
第４列には、第２有機ＥＬパネル１１ｂ，第４有機ＥＬパネル１３ｂ，第１有機ＥＬパネル１０ｄ，第３有機ＥＬパネル１２ｄの順に交互に配されている。
このように、有機ＥＬパネルの接続構造１は、行方向Ｃにおいて、４種類の有機ＥＬパネルのうち、全種類の有機ＥＬパネルが同一列に並んでいる。すなわち、いずれの有機ＥＬパネルにおいても、自己に隣接する有機ＥＬパネルの種類が異なっており、自己の発光色と異なっている。また、自己に最近接する同一種類の有機ＥＬパネルの距離が等間隔となっている。
【００５３】
本実施形態の有機ＥＬパネルの接続構造１は、列方向Ｒにおいて、有機ＥＬパネル群６０が２つ並んでおり、第３列と第４列に属する有機ＥＬパネル群６０は、第１列と第２列に属する有機ＥＬパネル群６０の行方向Ｃに並んだ有機ＥＬパネルが入れ替わった関係となっている。
別の観点からみると、第３列と第４列に属する有機ＥＬパネル群６０は、第１列と第２列に属する有機ＥＬパネル群６０を、列方向Ｒに有機ＥＬパネル１枚分だけスライドした位置にあるともいえる。
【００５４】
第１行に配列する、第１有機ＥＬパネル１０ａ、第２有機ＥＬパネル１１ａ、第１有機ＥＬパネル１０ｂ、第２有機ＥＬパネル１１ｂの４枚の有機ＥＬパネルの接続関係に注目すると、図４に示されるように、第１有機ＥＬパネル１０ａの第２給電端子２９と、隣接する第２有機ＥＬパネル１１ａの第１迂回端子３３が接続配線３によって接続されており、第２有機ＥＬパネル１１ａの第２迂回端子３４と、第１有機ＥＬパネル１０ｂの第１給電端子２５が接続配線３によって接続されている。すなわち、第１有機ＥＬパネル１０ａと第１有機ＥＬパネル１０ｂ間には、第２有機ＥＬパネル１１ａとは電気的に絶縁された導電経路が形成されており、その導電経路によって互いに電気的に直列に接続されている。言い換えると、第２有機ＥＬパネル１１ａは、自己の迂回部材１８によって、自己に隣接する第１有機ＥＬパネル１０ａと第１有機ＥＬパネル１０ｂを電気的に接続させている。
【００５５】
また、第２有機ＥＬパネル１１ａの第２給電端子２９と、隣接する第１有機ＥＬパネル１０ｂの第１迂回端子３３が接続配線３によって接続されており、第１有機ＥＬパネル１０ｂの第２迂回端子３４と、第２有機ＥＬパネル１１ｂの第１給電端子２５が接続配線３によって接続されている。すなわち、第２有機ＥＬパネル１１ａと第２有機ＥＬパネル１１ｂ間には、第１有機ＥＬパネル１０ｂとは電気的に絶縁された導電経路が形成されており、その導電経路によって互いに電気的に直列に接続されている。言い換えると、第１有機ＥＬパネル１０ｂは、自己の迂回部材１８によって、自己に隣接する第２有機ＥＬパネル１１ａと第２有機ＥＬパネル１１ｂを電気的に接続させている。
【００５６】
第２行に配列する、第３有機ＥＬパネル１２ａ、第４有機ＥＬパネル１３ａ、第３有機ＥＬパネル１２ｂ、第４有機ＥＬパネル１３ｂの４枚の有機ＥＬパネル２の接続関係に注目すると、図４に示されるように、第３有機ＥＬパネル１２ａの第２給電端子２９と、隣接する第４有機ＥＬパネル１３ａの第１迂回端子３３が接続配線３によって接続されており、第４有機ＥＬパネル１３ａの第２迂回端子３４と、第３有機ＥＬパネル１２ｂの第１給電端子２５が接続配線３によって接続されている。すなわち、第３有機ＥＬパネル１２ａと第３有機ＥＬパネル１２ｂ間には、第４有機ＥＬパネル１３ａとは電気的に絶縁した導電経路が形成されており、その導電経路によって互いに電気的に直列に接続されている。言い換えると、第４有機ＥＬパネル１３ａは、自己の迂回部材１８によって、自己に隣接する第３有機ＥＬパネル１２ａと第３有機ＥＬパネル１２ｂを電気的に接続させている。
【００５７】
また、第４有機ＥＬパネル１３ａの第２給電端子２９と、隣接する第３有機ＥＬパネル１２ｂの第１迂回端子３３が接続配線３によって接続されており、第３有機ＥＬパネル１２ｂの第２迂回端子３４と、第４有機ＥＬパネル１３ｂの第１給電端子２５が接続配線３によって接続されている。すなわち、第４有機ＥＬパネル１３ａと第４有機ＥＬパネル１３ｂ間には、第３有機ＥＬパネル１２ｂとは電気的に絶縁した導電経路が形成されており、その導電経路によって互いに電気的に直列に接続されている。言い換えると、第３有機ＥＬパネル１２ｂは、自己の迂回部材１８によって、自己に隣接する第４有機ＥＬパネル１３ａと第４有機ＥＬパネル１３ｂを電気的に接続させている。
【００５８】
第３行の接続関係については、第１行の第１有機ＥＬパネル１０と第２有機ＥＬパネル１１の位置関係がそれぞれ逆転したこと以外は同様であり、第４行の接続関係については、第２行の第３有機ＥＬパネル１２と第４有機ＥＬパネル１３の位置関係がそれぞれ逆転したこと以外は同様であるため、説明を省略する。
【００５９】
このように、有機ＥＬパネルの接続構造１は、列方向Ｒに配列した同一種類の有機ＥＬパネル２間で、電気的に直列接続された複数の直列接続群７０，７１，７２，７３を形成している。
【００６０】
有機ＥＬパネルの接続構造１に外部電源を接続した場合の各有機ＥＬパネル２間の電気的な接続関係に注目すると、上記したように第１有機ＥＬパネル１０ａと第１有機ＥＬパネル１０ｂは電気的に直列に接続されて直列接続群７０（７０ａ）を形成しており、第１有機ＥＬパネル１０ｃと第１有機ＥＬパネル１０ｄは電気的に直列に接続されて直列接続群７０（７０ｂ）を形成している。そして、図６（ａ），図６（ｂ）のように直列接続群７０ａは、直列接続群７０ｂと、電気的に並列の関係となっている。
なお、図６（ａ）は、有機ＥＬパネルの接続構造１の実際の位置関係を考慮した電気回路図であり、図６（ｂ）は、図６（ａ）を簡略化した電気回路図である。
【００６１】
第２有機ＥＬパネル１１ａと第２有機ＥＬパネル１１ｂは電気的に直列に接続されて直列接続群７１（７１ａ）を形成しており、第２有機ＥＬパネル１１ｃと第２有機ＥＬパネル１１ｄは電気的に直列に接続されて直列接続群７１（７１ｂ）を形成している。そして、図６（ａ），図６（ｂ）のように直列接続群７１ａと直列接続群７１ｂは、電気的に並列の関係となっている。
【００６２】
第３有機ＥＬパネル１２ａと第３有機ＥＬパネル１２ｂは電気的に直列に接続されて直列接続群７２（７２ａ）を形成しており、第３有機ＥＬパネル１２ｃと第３有機ＥＬパネル１２ｄは電気的に直列に接続されて直列接続群７２（７２ｂ）を形成している。そして、図６（ａ），図６（ｂ）のように直列接続群７２ａと直列接続群７２ｂは、電気的に並列の関係となっている。
【００６３】
第４有機ＥＬパネル１３ａと第４有機ＥＬパネル１３ｂは電気的に直列に接続されて直列接続群７３（７３ａ）を形成しており、第４有機ＥＬパネル１３ｃと第４有機ＥＬパネル１３ｄは電気的に直列に接続されて直列接続群７３（７３ｂ）を形成している。そして、図６（ａ），図６（ｂ）のように直列接続群７３ａと直列接続群７３ｂは、電気的に並列の関係となっている。
【００６４】
直列接続群７０ａ及び直列接続群７０ｂは、直列接続群７１ａ及び直列接続群７１ｂ、直列接続群７２ａ及び直列接続群７２ｂ、並びに直列接続群７３ａ及び直列接続群７３ｂと電気的に並列の関係となっている。
【００６５】
直列接続群７０ａ及び直列接続群７０ｂは、それぞれ外部電源と閉回路を形成している。同様に、直列接続群７１ａ及び直列接続群７１ｂ、直列接続群７２ａ及び直列接続群７２ｂ、並びに直列接続群７３ａ及び直列接続群７３ｂは、それぞれ外部電源と閉回路を形成している。
【００６６】
以上のように、有機ＥＬパネルの接続構造１は、それぞれの直列接続群７０，７１，７２，７３が外部電源と閉回路を形成しており、可変抵抗やマイコンを使用したＰＷＭ制御等によってそれぞれの有機ＥＬパネルへの電流量等を制御することによって調光することが可能となっている。
【００６７】
なお、可変抵抗を使用してそれぞれの有機ＥＬパネルへの電流量等を制御する場合には、正確に制御する観点から各直列接続群７０ａ，７０ｂ，７１ａ，７１ｂ，７２ａ，７２ｂ，７３ａ，７３ｂに対して可変抵抗を取り付けることが好ましい。
【００６８】
また、本実施形態の有機ＥＬパネルの接続構造１によれば、直列接続群７０，７１，７２，７３は互いに電気的に並列に接続されているため、例えば、各第１有機ＥＬパネル１０が劣化して発光不能状態になったとしても、給電部材６で接続したまま、短絡した有機ＥＬ装置５のみを新しい有機ＥＬ装置５に交換することによって、第１有機ＥＬパネル１０を発光可能状態に復帰することが可能である。すなわち、第１有機ＥＬパネル１０ａ，１０ｂ，１０ｃ，１０ｄと、第２有機ＥＬパネル１１ａ，１１ｂ，１１ｃ，１１ｄと、第３有機ＥＬパネル１２ａ，１２ｂ，１２ｃ，１２ｄと、第４有機ＥＬパネル１３ａ，１３ｂ，１３ｃ，１３ｄに内蔵されるそれぞれの有機ＥＬ装置５の寿命を最大限に利用することが可能である。
【００６９】
また、本実施形態の有機ＥＬパネルの接続構造１によれば、直列接続群７０，７１，７２，７３を構成する有機ＥＬパネルに流れる電流は制御可能であり、さらに直列接続群７０，７１，７２，７３を構成する有機ＥＬパネルはまんべんなく全体に分布しているため、色むらがなく、均一に発光させることが可能となっている。
【００７０】
続いて、有機ＥＬ装置５の層構成について説明する。
【００７１】
基板４２の材質は、透明性と絶縁性を備えたものであれば、特に限定されるものではない。本実施形態では、ガラス基板を採用している。
また、基板４２は、面状に広がりをもっている。具体的には、多角形又は円形をしており、四角形であることが好ましい。本実施形態では、正方形状のガラス基板を採用している。
【００７２】
第１電極層４３は、透明導電性酸化物によって形成された層であり、例えば、インジウム錫酸化物（ＩＴＯ）などが採用できる。
【００７３】
機能層４５は、図５のように第１電極層４３と第２電極層４６との間に設けられ、少なくとも一層の有機発光層を備えた層である。
具体的には、機能層４５の構成は、図５のように、第１電極層４３側から順に、正孔注入層６１，正孔輸送層６２，有機発光層６３，電子輸送層６４，及び電子注入層６５を有している。正孔注入層６１，正孔輸送層６２，有機発光層６３，電子輸送層６４，及び電子注入層６５はいずれも公知の有機材料等によって形成されている。
【００７４】
上記したように、本実施形態では、有機発光層６３の種類によって、有機ＥＬ装置５の発光色を制御し、それぞれの有機ＥＬパネル１０，１１，１２，１３間で、発光色が異なるものにしている。
具体的には、第１有機ＥＬパネル１０は、有機発光層６３の種類によって、５５０ｎｍ未満の波長にのみ発光ピークを有する青色系発光色を有した有機ＥＬパネルとなるように設計しており、第２有機ＥＬパネル１１は、有機発光層６３の種類によって、５５０ｎｍ以上の波長にのみ発光ピークを有する赤色系発光色を有した有機ＥＬパネルとなるように設計している。
なお、本実施形態では、４色の有機ＥＬパネルを使用しているため、第１有機ＥＬパネル１０は、有機発光層６３の種類によって、４００ｎｍ以上５００ｎｍ未満の波長にのみ発光ピークを有する青色系発光色を有した有機ＥＬパネルとなるように設計しており、第２有機ＥＬパネル１１は、有機発光層６３の種類によって、６２０ｎｍ以上７００ｎｍ以下の波長にのみ発光ピークを有する赤色系発光色を有した有機ＥＬパネルとなるように設計している。
【００７５】
また、第３有機ＥＬパネル１２は、有機発光層６３の種類によって、４９５ｎｍ以上５７０ｎｍ未満の波長にのみ発光ピークを有する緑色系発光色を有した有機ＥＬパネルとなるように設計しており、第４有機ＥＬパネル１３は、有機発光層６３の種類によって、５７０ｎｍ以上６２０ｎｍ未満の波長にのみ発光ピークを有する橙色系発光色を有した有機ＥＬパネルとなるように設計している。
有機ＥＬ装置５の発光面積は、４ｍｍ2から４ｍ2であり、５０ｃｍ2から２ｍ2であることが好ましく、１００ｃｍ2から２５００ｃｍ2であることが特に好ましい。
【００７６】
第２電極層４６は、第１電極層４３と一対となって電極を形成するものであれば、特に限定されるものではなく、例えば銀（Ａｇ）やアルミニウム（Ａｌ）などが採用できる。
【００７７】
上記した実施形態において、４行４列の有機ＥＬパネル１０が配列された有機ＥＬパネルの接続構造１について説明したが、実際に有機ＥＬパネルの接続構造１を照明として使用する場合には、使用環境に合わせて、有機ＥＬパネルの接続構造１を基準として拡張して使用することとなる。そこで、代表例として、図７のように有機ＥＬパネルの接続構造１を一つのユニットとして、４つの有機ＥＬパネルの接続構造１で拡張し、照明として使用した場合について、各有機ＥＬパネル１０の位置関係を説明する。
有機ＥＬパネルの接続構造１が平面上に分布するように拡張した照明は、図９のように同一色の有機ＥＬパネル１０，１０の間に、異なる種類の有機ＥＬパネル１１，１２，１３のそれぞれが挟まれる関係となっている。具体的には、同一色の有機ＥＬパネル１０，１０の間に、残りの色の有機ＥＬパネル１１，１２，１３が一枚ずつ挟まれている。
また、行方向に隣接する同一種類の有機ＥＬパネルの間隔は、隣の列の、行方向に隣接する同一種類の有機ＥＬパネルの間隔と等間隔となっている。例えば、行方向に隣接する第１有機ＥＬパネル１０ａ，１０ａ間の距離は、隣の列の第１有機ＥＬパネル１０ｂ，１０ｂ間の距離と等しくなっている。
【００７８】
上記した実施形態では、４種類の有機ＥＬパネル２を用いた場合について説明したが、複数種類の有機ＥＬパネル２であれば特に限定されない。
例えば、２種類の場合について説明すると、図８のように、発光色が異なる第１有機ＥＬパネル１０と第２有機ＥＬパネル１１が行方向及び列方向に交互に配列される。すなわち、発光色が異なる第１有機ＥＬパネル１０と第２有機ＥＬパネル１１が千鳥状に配されている。
また、第１有機ＥＬパネル１０ａ，１０ｂからなる直列接続群７０ａは、第１有機ＥＬパネル１０ｃ，１０ｄからなる直列接続群７０ｂ、第１有機ＥＬパネル１０ｅ，１０ｆからなる直列接続群７０ｃ、並びに、第１有機ＥＬパネル１０ｇ，１０ｈからなる直列接続群７０ｄと電気的に並列の関係となっている。第２有機ＥＬパネル１１ａ，１１ｂからなる直列接続群７１ａは、第２有機ＥＬパネル１１ｃ，１１ｄからなる直列接続群７１ｂ、第２有機ＥＬパネル１１ｅ，１１ｆからなる直列接続群７１ｃ、並びに、第２有機ＥＬパネル１１ｇ，１１ｈからなる直列接続群７１ｄと電気的に並列の関係となっている。
【００７９】
上記した実施形態では、行方向に並んだ同色の有機ＥＬパネル２（例えば、第１有機ＥＬパネル１０ａ，１０ｂ）が電気的に直列接続の関係となっており、当該行方向に並んだ同色の有機ＥＬパネル２が、列方向の、行方向に並んだ同色の有機ＥＬパネル（例えば、第１有機ＥＬパネル１０ｃ，１０ｄ）と電気的に並列の関係となっていたが、本発明はこれに限定されるものではなく、図９のようにすべての同色の有機ＥＬパネルが電気的に直列に接続されていてもよい。
【００８０】
上記した実施形態では、自己の給電部材（迂回部材）を介して隣接する同色の有機ＥＬパネル間を電気的に接続したが、本発明はこれに限定されるものではなく、接続配線３によって有機ＥＬパネル間を直接接続してもよい。
【００８１】
上記した実施形態では、有機ＥＬ装置は、片面が発光するものであったが、本発明はこれに限定されるものではなく、片面発光の有機ＥＬ装置を重ね合わせる等の方法によって、有機ＥＬ装置の両面が発光するものであってもよい。
【００８２】
上記した実施形態では、迂回部材は発光領域を縦断又は横断して設けられていたが、本発明はこれに限定されるものではなく、迂回部材は発光領域を迂回するように額縁領域に設けられていてもよい。特に有機ＥＬ装置の両面が発光する場合に、迂回部材を、発光領域を迂回するように設けることで、迂回部材が光に映りこむことを防止することが可能である。
【符号の説明】
【００８３】
１  有機ＥＬパネルの接続構造
２  有機ＥＬパネル
１０，１０ａ〜１０ｈ  第１有機ＥＬパネル
１１，１１ａ〜１１ｈ  第２有機ＥＬパネル
１２，１２ａ〜１２ｈ  第３有機ＥＬパネル
１３，１３ａ〜１３ｈ  第４有機ＥＬパネル
１８  迂回部材
３５  迂回配線
４１  有機ＥＬ素子
４２  基板（基材）
４３  第１電極層
４５  機能層
４６  第２電極層
５０  発光領域
５１  額縁領域
５５  第１給電部
５６  第２給電部
６３  発光層（有機発光層）
【図１】
2014103023.tif 000003
【図２】
2014103023.tif 000004
【図３】
2014103023.tif 000005
【図４】
2014103023.tif 000006
【図５】
2014103023.tif 000007
【図６】
2014103023.tif 000008
【図７】
2014103023.tif 000009
【図８】
2014103023.tif 000010
【図９】
2014103023.tif 000011